【手続補正書】
【提出日】平成17年8月25日(2005.8.25)
【手続補正１】
【補正対象書類名】明細書
【補正対象項目名】発明の名称
【補正方法】変更
【補正の内容】
【発明の名称】通信制御方法および装置並びにプログラム
【手続補正２】
【補正対象書類名】明細書
【補正対象項目名】特許請求の範囲
【補正方法】変更
【補正の内容】
【特許請求の範囲】
【請求項１】  複数の端末間で対話的に行われるデータの通信を制御する通信制御方法において、
端末能力管理手段が、所定の能力を有する仮想端末を設定するとともに該設定した仮想端末の能力を管理し、端末制御手段が、データ通信に参加する参加端末のそれぞれに前記仮想端末の能力に合わせたデータ通信を実行させることを特徴とする通信制御方法。
【請求項２】  前記仮想端末は、前記参加端末のそれぞれが通信を行うグループ毎に設定されることを特徴とする請求項１記載の通信制御方法。
【請求項３】  方法保持手段に前記仮想端末の能力の決定方法を保持させ、該保持させている決定方法に基づいて、前記端末能力管理手段が、前記仮想端末の能力を決定することを特徴とする請求項１記載の通信制御方法。
【請求項４】  前記決定方法は、能力を示す各項目のそれぞれについて、前記参加端末のそれぞれが有する能力のうち最も低い能力を前記仮想端末の能力とすることを特徴とする請求項３記載の通信制御方法。
【請求項５】  前記決定方法は、能力を示す各項目のそれぞれについて、前記参加端末のそれぞれが有する能力に重み付けを行い、該重み付けをした能力の平均に基づいた能力を前記仮想端末の能力とすることを特徴とする請求項３記載の通信制御方法。
【請求項６】  前記参加端末が有する能力が前記仮想端末の能力よりも低い場合には、前記端末制御手段が、該能力が低い参加端末へ送信するデータを該参加端末の能力に合わせたデータに変換することを特徴とする請求項１記載の通信制御方法。
【請求項７】  前記参加端末が前記仮想端末の能力よりも高い能力を要するデータを送信した場合には、前記端末制御手段が、該高い能力を要するデータの通信を遮断することを特徴とする請求項１記載の通信制御方法。
【請求項８】  複数の端末間で対話的に行われるデータの通信を制御する通信制御装置において、
仮想端末の能力を管理する端末能力管理手段と、
データ通信に参加する参加端末のそれぞれに前記端末能力管理手段が管理する仮想端末の能力に合わせたデータ通信を実行させる端末制御手段と
を具備することを特徴とする通信制御装置。
【請求項９】  前記端末能力管理手段は、
前記参加端末のそれぞれが通信を行うグループ毎に前記仮想端末の能力を決定することを特徴とする請求項８記載の通信制御装置。
【請求項１０】  前記端末能力管理手段における仮想端末の能力の決定方法を保持する方法保持手段をさらに具備し、
前記端末能力管理手段は、
前記方法保持手段が保持する決定方法に基づいて、前記仮想端末の能力を決定することを特徴とする請求項８記載の通信制御装置。
【請求項１１】  前記端末能力管理手段は、
前記仮想端末の能力を示す各項目のそれぞれについて、前記参加端末のそれぞれが有する能力のうち最も低い能力に基づいて決定することを特徴とする請求項１０記載の通信制御装置。
【請求項１２】  前記端末能力管理手段は、
前記仮想端末の能力を示す各項目のそれぞれについて、前記参加端末のそれぞれが有する能力に重み付けを行い、該重み付けをした能力の平均に基づいて決定することを特徴とする請求項１０記載の通信制御装置。
【請求項１３】  前記端末制御手段は、
前記仮想端末よりも能力が低い前記参加端末へ送信するデータを該参加端末の能力に合わせたデータに変換することを特徴とする請求項８記載の通信制御装置。
【請求項１４】  前記端末制御手段は、
前記仮想端末の能力よりも高い能力を要するデータの通信を遮断することを特徴とする請求項８記載の通信制御装置。
【請求項１５】  複数の端末間で対話的に行われるデータの通信を制御する通信制御プログラムであって、
仮想端末の能力を管理する端末能力管理手段、
データ通信に参加する参加端末のそれぞれに前記端末能力管理手段が管理する仮想端末の能力に合わせたデータ通信を実行させる端末制御手段
として情報処理装置を機能させることを特徴とする通信制御プログラム。
【請求項１６】  前記端末能力管理手段は、
前記参加端末のそれぞれが通信を行うグループ毎に前記仮想端末の能力を決定することを特徴とする請求項１５記載の通信制御プログラム。
【請求項１７】  前記情報処理装置を、前記端末能力管理手段における仮想端末の能力の決定方法を保持する方法保持手段としてさらに機能させ、
前記端末能力管理手段は、前記方法保持手段が保持する決定方法に基づいて、前記仮想端末の能力を決定することを特徴とする請求項１５記載の通信制御プログラム。
【請求項１８】  前記端末能力管理手段は、
前記仮想端末の能力を示す各項目のそれぞれについて、前記参加端末のそれぞれが有する能力のうち最も低い能力に基づいて決定することを特徴とする請求項１７記載の通信制御プログラム。
【請求項１９】  前記端末能力管理手段は、
前記仮想端末の能力を示す各項目のそれぞれについて、前記参加端末のそれぞれが有する能力に重み付けを行い、該重み付けをした能力の平均に基づいて決定することを特徴とする請求項１７記載の通信制御プログラム。
【請求項２０】  前記端末制御手段は、
前記仮想端末よりも能力が低い前記参加端末へ送信するデータを該参加端末の能力に合わせたデータに変換することを特徴とする請求項１５記載の通信制御プログラム。
【請求項２１】  前記端末制御手段は、
前記仮想端末の能力よりも高い能力を要するデータの通信を遮断することを特徴とする請求項１５記載の通信制御プログラム。
【手続補正３】
【補正対象書類名】明細書
【補正対象項目名】０００１
【補正方法】変更
【補正の内容】
【０００１】
【発明の属する技術分野】
この発明は、通信制御方法および装置並びにプログラムに関し、特に、能力の異なる端末間の通信を制御する通信制御方法および装置並びにプログラムに関する。
【手続補正４】
【補正対象書類名】明細書
【補正対象項目名】０００８
【補正方法】変更
【補正の内容】
【０００８】
そこで、この発明は、複数の端末間での通信を可能とするとともに、比較的能力の高い端末の利用者と比較的能力の低い端末の利用者とでも十分なコミュニケーションを図ることのできる通信制御方法および装置並びにプログラムを提供することを目的とする。
【手続補正５】
【補正対象書類名】明細書
【補正対象項目名】０００９
【補正方法】変更
【補正の内容】
【０００９】
【課題を解決するための手段】
上述した目的を達成するため、請求項１の発明は、複数の端末間で対話的に行われるデータの通信を制御する通信制御方法において、端末能力管理手段が、所定の能力を有する仮想端末を設定するとともに該設定した仮想端末の能力を管理し、端末制御手段が、データ通信に参加する参加端末のそれぞれに前記仮想端末の能力に合わせたデータ通信を実行させることを特徴とする。
【手続補正６】
【補正対象書類名】明細書
【補正対象項目名】００１０
【補正方法】変更
【補正の内容】
【００１０】
また、請求項２の発明は、請求項１の発明において、前記仮想端末は、前記参加端末のそれぞれが通信を行うグループ毎に設定されることを特徴とする。
【手続補正７】
【補正対象書類名】明細書
【補正対象項目名】００１１
【補正方法】変更
【補正の内容】
【００１１】
また、請求項３の発明は、請求項１の発明において、方法保持手段に前記仮想端末の能力の決定方法を保持させ、該保持させている決定方法に基づいて、前記端末能力管理手段が、前記仮想端末の能力を決定することを特徴とする。
また、請求項４の発明は、請求項３の発明において、前記決定方法は、能力を示す各項目のそれぞれについて、前記参加端末のそれぞれが有する能力のうち最も低い能力を前記仮想端末の能力とすることを特徴とする。
また、請求項５の発明は、請求項３の発明において、前記決定方法は、能力を示す各項目のそれぞれについて、前記参加端末のそれぞれが有する能力に重み付けを行い、該重み付けをした能力の平均に基づいた能力を前記仮想端末の能力とすることを特徴とする。
【手続補正８】
【補正対象書類名】明細書
【補正対象項目名】００１２
【補正方法】変更
【補正の内容】
【００１２】
また、請求項６の発明は、請求項１の発明において、前記参加端末が有する能力が前記仮想端末の能力よりも低い場合には、前記端末制御手段が、該能力が低い参加端末へ送信するデータを該参加端末の能力に合わせたデータに変換することを特徴とする。
【手続補正９】
【補正対象書類名】明細書
【補正対象項目名】００１３
【補正方法】変更
【補正の内容】
【００１３】
また、請求項７の発明は、請求項１の発明において、前記参加端末が前記仮想端末の能力よりも高い能力を要するデータを送信した場合には、前記端末制御手段が、該高い能力を要するデータの通信を遮断することを特徴とする。
【手続補正１０】
【補正対象書類名】明細書
【補正対象項目名】００１４
【補正方法】変更
【補正の内容】
【００１４】
また、請求項８の発明は、複数の端末間で対話的に行われるデータの通信を制御する通信制御装置において、仮想端末の能力を管理する端末能力管理手段と、データ通信に参加する参加端末のそれぞれに前記端末能力管理手段が管理する仮想端末の能力に合わせたデータ通信を実行させる端末制御手段とを具備することを特徴とする。
【手続補正１１】
【補正対象書類名】明細書
【補正対象項目名】００１５
【補正方法】変更
【補正の内容】
【００１５】
また、請求項９の発明は、請求項８の発明において、前記端末能力管理手段は、前記参加端末のそれぞれが通信を行うグループ毎に前記仮想端末の能力を決定することを特徴とする。
【手続補正１２】
【補正対象書類名】明細書
【補正対象項目名】００１６
【補正方法】変更
【補正の内容】
【００１６】
また、請求項１０の発明は、請求項８の発明において、前記端末能力管理手段における仮想端末の能力の決定方法を保持する方法保持手段をさらに具備し、前記端末能力管理手段は、前記方法保持手段が保持する決定方法に基づいて、前記仮想端末の能力を決定することを特徴とする。
また、請求項１１の発明は、請求項１０の発明において、前記端末能力管理手段は、前記仮想端末の能力を示す各項目のそれぞれについて、前記参加端末のそれぞれが有する能力のうち最も低い能力に基づいて決定することを特徴とする。
また、請求項１２の発明は、請求項１０の発明において、前記端末能力管理手段は、前記仮想端末の能力を示す各項目のそれぞれについて、前記参加端末のそれぞれが有する能力に重み付けを行い、該重み付けをした能力の平均に基づいて決定することを特徴とする。
【手続補正１３】
【補正対象書類名】明細書
【補正対象項目名】００１７
【補正方法】変更
【補正の内容】
【００１７】
また、請求項１３の発明は、請求項８の発明において、前記端末制御手段は、前記仮想端末よりも能力が低い前記参加端末へ送信するデータを該参加端末の能力に合わせたデータに変換することを特徴とする。
また、請求項１４の発明は、請求項８の発明において、前記端末制御手段は、前記仮想端末の能力よりも高い能力を要するデータの通信を遮断することを特徴とする。
【手続補正１４】
【補正対象書類名】明細書
【補正対象項目名】００１８
【補正方法】変更
【補正の内容】
【００１８】
また、請求項１５の発明は、複数の端末間で対話的に行われるデータの通信を制御する通信制御プログラムであって、仮想端末の能力を管理する端末能力管理手段、データ通信に参加する参加端末のそれぞれに前記端末能力管理手段が管理する仮想端末の能力に合わせたデータ通信を実行させる端末制御手段として情報処理装置を機能させることを特徴とする。
【手続補正１５】
【補正対象書類名】明細書
【補正対象項目名】００１９
【補正方法】変更
【補正の内容】
【００１９】
また、請求項１６の発明は、請求項１５の発明において、前記端末能力管理手段は、前記参加端末のそれぞれが通信を行うグループ毎に前記仮想端末の能力を決定することを特徴とする。
【手続補正１６】
【補正対象書類名】明細書
【補正対象項目名】００２０
【補正方法】変更
【補正の内容】
【００２０】
また、請求項１７の発明は、請求項１５の発明において、前記情報処理装置を、前記端末能力管理手段における仮想端末の能力の決定方法を保持する方法保持手段としてさらに機能させ、前記端末能力管理手段は、前記方法保持手段が保持する決定方法に基づいて、前記仮想端末の能力を決定することを特徴とする。
また、請求項１８の発明は、請求項１７の発明において、前記端末能力管理手段は、前記仮想端末の能力を示す各項目のそれぞれについて、前記参加端末のそれぞれが有する能力のうち最も低い能力に基づいて決定することを特徴とする。
また、請求項１９の発明は、請求項１７の発明において、前記端末能力管理手段は、前記仮想端末の能力を示す各項目のそれぞれについて、前記参加端末のそれぞれが有する能力に重み付けを行い、該重み付けをした能力の平均に基づいて決定することを特徴とする。
【手続補正１７】
【補正対象書類名】明細書
【補正対象項目名】００２１
【補正方法】変更
【補正の内容】
【００２１】
また、請求項２０の発明は、請求項１５の発明において、前記端末制御手段は、前記仮想端末よりも能力が低い前記参加端末へ送信するデータを該参加端末の能力に合わせたデータに変換することを特徴とする。
また、請求項２１の発明は、請求項１５の発明において、前記端末制御手段は、前記仮想端末の能力よりも高い能力を要するデータの通信を遮断することを特徴とする。
【手続補正１８】
【補正対象書類名】明細書
【補正対象項目名】００２２
【補正方法】変更
【補正の内容】
【００２２】
【発明の実施の形態】
以下、この発明に係る通信制御方法および装置並びにプログラムの一実施の形態について、添付図面を参照して詳細に説明する。